(57)【要約】  ねじ山を有さない容器（１）と、容器のネック内に設けられている専用ワイパー（３）と、容器のネックを取り囲んでいる磁気リング（２）と、柄（５ｂ）、円錐部（５ｇ）、棒（５ｄ）、及び該棒の遠位端から垂下している塗布面（４）を有する専用閉栓部（５）と、柄の周りに嵌まり込んで金属製リング（６）を支持している外側シェル（８）と、を備える容器−閉栓システムを提供する。磁気リングの金属製リングに対する磁気強度は、２つのシールゾーン、すなわち閉栓部の円錐部（５ｇ）とワイパー（３）の斜面（３ｇ）の間、及び柄の下部（５ａ）とワイパーの上部の専用シールリップ（３ａ）の間に、密封シールを形成するのに十分な大きさである。【選択図】図１
2018529435.tif 000002
【特許請求の範囲】
【請求項１】
容器（１）と閉栓部（５）とを備える磁気容器−閉栓システムであって、
前記容器（１）は、
ランディング領域（１ｆ）を有するネック（１ｂ）を支持するショルダー（１ｄ）と、
製品を保持するのに適した内部リザーバ（１ａ）であって、前記製品は前記容器の前記ネック内の開口部（１ｅ）を通してアクセスできる内部リザーバ（１ａ）と、
前記ネック（１ｂ）の開口部（１ｅ）内に設けられ、下部開口部（３ｄ）、及び斜面（３ｇ）と前記斜面から上方及び外側に向けて延在するシールリップ（３ａ）により囲まれる上部開口部（３ｅ）を有するワイパー（３）と、
前記ネック（１ｂ）に取り付けられた１つ又は複数の磁気素子（２）とを有しており、
前記閉栓部（５）は、
外側シェル（８）と、
前記外側シェル内に固定されている柄（５ｂ）と、
前記柄から垂下している円錐部（５ｇ）と、
前記円錐部から垂下しており、その遠位端に塗布面（４）を支持する棒（５ｄ）と、
前記外側シェル内に固定されている１つ又は複数の強磁性素子とを有しており、
前記閉栓部（５）が完全に前記容器（１）上に位置したとき、前記閉栓部の前記強磁性素子（６）に対する前記容器の前記磁気素子（２）の引力によって、前記シールリップ（３ａ）が前記柄の下部（５ａ）により圧縮されると共に、前記斜面（３ｇ）が前記円錐部（５ｇ）により圧縮される、磁気容器−閉栓システム。
【請求項２】
前記容器（１）はねじ山を有していない請求項１に記載の磁気容器−閉栓システム。
【請求項３】
前記１つ又は複数の磁気素子（２）は、前記容器（１）の前記ネック（１ｂ）を覆う磁気リングとして設けられており、前記磁気リングの上部は前記ネックの前記ランディング領域（１ｆ）よりも僅かに高い位置にあり、前記１つ又は複数の強磁性素子（６）は鋼製リングとして形成されている請求項２に記載の磁気容器−閉栓システム。
【請求項４】
前記閉栓部（５）が完全に前記容器（１）上に位置したとき、前記外側シェル（８）が前記容器の前記ショルダー（１ｄ）に達する前に、前記鋼製リング（６）が前記磁気リング（２）に接触する請求項３に記載の磁気容器−閉栓システム。
【請求項５】
前記磁気リング（２）は、最大エネルギー積が１０〜約１００ＭＧＯｅの範囲にある請求項３に記載の磁気容器−閉栓システム。
【請求項６】
前記磁気リング（２）は、最大エネルギー積が２５〜約７５ＭＧＯｅの範囲にある請求項５に記載の磁気容器−閉栓システム。
【請求項７】
前記磁気リング（２）は、最大エネルギー積が４０〜約５０ＭＧＯｅの範囲にある項６に記載の磁気容器−閉栓システム。
【請求項８】
前記磁気リング（２）は、磁性等級がＮ４５であるＮｄＦｅＢ（ネオジウム鉄ボロン）である請求項７に記載の磁気容器−閉栓システム。
【請求項９】
前記斜面（３ｇ）及び前記シールリップ（３ａ）は、ショアー硬さが５０未満の熱可塑性エラストマーから成形されている請求項１に記載の磁気容器−閉栓システム。
【請求項１０】
前記塗布面（４）は繊維ブラシとして形成されている請求項１に記載の磁気容器−閉栓システム。
【請求項１１】
前記棒（５ｄ）、前記円錐部（５ｇ）、及び前記柄（５ｂ）は１部品として成形されている請求項１に記載の磁気容器−閉栓システム。
【発明の詳細な説明】
【技術分野】
【０００１】
本発明は、棒状塗布具及びワイパーを有するが、ねじ山を有さない容器用磁気閉栓システムに関する。
【背景技術】
【０００２】
多くの化粧品及びパーソナルケア製品が、ねじ付き又はねじ式閉栓システムを用いた容器に入れて販売されている。また、つまみ付き閉栓システムを用いた容器においては、密封シールを形成するために、閉栓部が容器に対して回転することが要求される。より具体的には、ワイパー及び棒状塗布具を用いた容器（例えば、マスカラ、リップ・グロス、及びアイシャドウ用の容器）に関して言えば、ねじ式回転閉栓システムが市場を独占している。容器のネック内に配置されているワイパーは、通常、ネックに対して密封シールを形成するように設計されている。ワイパーのフランジは、容器のランディング領域上に設けられている。閉栓部と容器が相対的に回転することにより互いに引き寄せられると、閉栓部はワイパーを下方に押圧し、ワイパーを容器のランディング領域に対して圧縮する。パッケージングが適切に行われていれば、この圧縮により、製品を保護するための効果的なシールが形成される。通常は、ワイパーがこれ以上圧縮できなくなると、閉栓部の回転が止まり、閉栓部が完全に容器に取り付けられた状態になる。このときに通常は音が発生しないため、ユーザの興味をひくことがほぼ又は全くない。更には、効果的なシールを形成すために、容器を閉める度にかなりの労力が必要とされる。また、閉栓部がきつくねじれてしまった場合には、閉栓部は緩めることが困難であるかもしれない。人によっては、容器と閉栓部を相対的に回転させるのにかなりの労力を要するかもしれないし、不可能であるかもしれない。これらは強く改善が求められる課題である。
【発明の概要】
【発明が解決しようとする課題】
【０００３】
本発明の主な目的は、ワイパー及び棒状塗布具を用いた容器用ねじ式閉栓部に替わる効果的な代替品を提供することである。
【０００４】
棒及びワイパーを用いた製品に関する他の目的は、効果的なシールを保持したまま、より容易に開けられる及び閉められる閉栓−容器システムを提供することである。
【０００５】
更なる他の目的は、消費者に贅沢な経験をもたらすことにより、面白みのない棒状塗布具を過去のものにすることである。
【課題を解決するための手段】
【０００６】
上記の課題は、本明細書に記載の容器及び閉栓部により達成される。（ねじ山を有する又は有さない）容器（１）は、容器のネック内に設けられている専用ワイパー（３）と、容器のネックを取り囲んでいる１つ又は複数の磁気素子（２）とを有している。閉栓部（５）は、柄（５ｂ）及び１つ又は複数の強磁性素子（６）を支持している外側シェル（８）を有している。円錐部（５ｇ）が柄から垂下しており、棒（５ｄ）が円錐部から垂下している。棒の遠位端には、塗布面（４）が支持されている。
【０００７】
ユーザが、ワイパーを通して容器内に塗布面及び棒を挿入すると、磁気素子（２）と強磁性素子（６）が互いに直接接触するまで、又はそれらが所定の距離だけ離れるまで、磁気素子（２）が強磁性素子（６）を引き寄せる。その結果、贅沢な触覚を伴い、満足感と安心感を与える金属「クリック」音（カチッという音）が生成される。磁気素子（２）の強磁性素子（６）に対する磁気強度は、２つのシールゾーン、すなわち、閉栓部の円錐部（５ｇ）とワイパー（３）の斜面（３ｇ）の間、及び柄の下部（５ａ）とワイパーの上部の専用シールリップ（３ａ）の間に、密封シールを形成するのに十分な大きさである。容器を開けるには、ユーザは単に容器と閉栓部を引き離せばよく、好ましくは容器に対して閉栓部を傾けると、磁気素子と強磁性素子の間の接触部分をいくらか減らすことができる。
【図面の簡単な説明】
【０００８】
【図１】本発明の容器−閉栓システムの分解組立図である。
【図２】容器のネック上に設けられている磁石の他の実施形態を示す。
【図３】本発明で用いられる専用ワイパーの一実施形態を示す。
【図４】本発明で用いられる専用ワイパーの他の実施形態を示す。
【図５】円錐部及び強磁性素子を有する閉栓部を示す。
【図６】本発明に係る専用ワイパー上に位置している図５の閉栓部を示す。
【図７】本発明の容器−閉栓システムの組立図である。
【図８Ａ】本発明で用いられる専用ワイパーを示す。
【図８Ｂ】図８Ａと同じ部品であり、図８Ａの線Ａ−Ａにおける断面図である。
【図８Ｃ】図８Ａと同じ部品であり、図８Ｂの断面Ａにおける拡大図である。
【図９】図８Ｃと類似の図であり、専用ワイパーの他の実施形態の拡大断面図である。
【図１０】図８Ｃと類似の図であり、専用ワイパーの他の実施形態の拡大断面図である。
【図１１】図８Ｃと類似の図であり、専用ワイパーの他の実施形態の拡大断面図である。
【発明を実施するための形態】
【０００９】
図１は、ネック（１ｂ）を支持しているショルダー（１ｄ）を有する容器（１）を示す。ネックの上部は、ランディング領域（１ｆ）と呼ばれる。この容器は、化粧品、パーソナルケア製品、又は実質的にいかなる製品（Ｐ）をもその内部リザーバ（１ａ）に保持するのに適している。これらの製品は、容器のネック内にあり、容器の外部から内部リザーバ（１ａ）に通じている開口部（１ｅ）を通してアクセスすることができる。好ましくは、容器は、図１に示すように、容器及び閉栓部の動作の妨げになり得るねじ山を有さない。
【００１０】
ネック（１ｂ）の周囲の領域において、１つ又は複数の磁気素子が容器（１）と関連している。この（これらの）磁気素子は、ネックに強固に固着されて、外側シェル（８）の１つ又は複数の強磁性素子（６）と相互作用可能でなければならない。したがって、好ましくは、１つ又は複数の磁気素子は、ネックの上部近傍であって、ランディング領域（１ｆ）の付近に設けられており、好ましくはネック（１ｂ）の外周に分配されている。図１に示す好ましい実施形態では、磁気リング（２）が容器のネック（１ｂ）を覆って設けられている。磁気リングは、図示のように容器のショルダー（１ｄ）上に設けられていてもよく、磁気リングの上部の高さはネック（１ｂ）のランディング領域（１ｆ）の高さよりも僅かに高い。磁気リングは、接着材等の適宜の手段によって容器（１）に固定されていてもよい。図１の容器は、好ましいねじ山を有していないが、ねじ山付きの容器であっても、磁気リングのサイズがねじ山の周りに嵌まり込む大きさであれば、本発明の効果を得ることができる。その場合は、ねじ山はアクセス不可能であり、隠れた位置にある。他の実施形態では、図２に示すように、容器（１）のネック（１ｂ）の外周に、いくつか（すなわち、２〜６個）の棒磁石（２０）が等角で取り付けられている。
【００１１】
好ましい実施形態では、１つ又は複数の磁気素子（２）は金属製である。図１に示すリング磁石において、リングの内径は容器（１）のネックの周りに嵌まり込む大きさでなければならない。外径は、好ましくは、容器のショルダー（１ｄ）を越えない大きさである。例えば、リング磁石の厚みは約５ｍｍ未満、好ましくは３ｍｍである。リング磁石の高さは異なり得るが、磁石が容器のショルダー（１ｄ）上に設けられている場合、リング磁石の高さはネック（１ｂ）の上部までの高さであるか、それよりも少し高めでなければならない。
【００１２】
有用であるかもしれない磁石の例としては、費用対効果の高いハードフェライト磁石、例えば、金属製永久磁石であるＡｌＮｉＣｏ（アルミニウム−ニッケル−コバルト）磁石、及び金属製希土類永久磁石であるＳｍＣｏ（サマリウム−コバルト）磁石がある。例えば、好ましい磁石としては、磁性等級Ｎ４５、好ましくは内径１２ｍｍ、好ましくは外径１４ｍｍ、及び好ましくは高さ１４．５ｍｍのＮｄＦｅＢ（ネオジウム−鉄−ボロン）のリングが挙げられる。言うまでもなく、これらの寸法は、パッケージングの設計によって調整可能である。Ｎ４５とは、最大エネルギー積（ＢＨｍａｘ）が４３〜４６ＭＧＯｅ（メガガウス−エルステッド；１ＭＧＯｅ＝約７９５７．７４７１５Ｊ／ｍ３）の範囲にあるネオジウム−鉄−ボロンの標準等級である。本発明における有用な磁石は、最大エネルギー積が約１０〜約１００ＭＧＯｅ、好ましくは約２５〜約７５ＭＧＯｅ、より好ましくは約４０〜約５０ＭＧＯｅの範囲にあってもよい。しかし、外側シェル（８）にある１つ又は複数の強磁性素子（６）が受ける磁場は、磁石の形状及び質量によっても変わる。有用であるかもしれない磁石の中には、軸磁化及び約１００グラム〜約１０００グラムの質量を有しているものもある。
【００１３】
図３を参照すると、容器（１）のネック（１ｂ）の開口部（１ｅ）内には、ネックのランディング領域（１ｆ）上に置かれているワイパー（３）のフランジ（３ｆ）を除く部分が、通常通りに設けられている。ワイパーは、上部開口部（３ｅ）、及び直径を有する下部開口部（３ｄ）を有している。ワイパーは、塗布面（４）に対して製品を均等に分配し、塗布面がワイパーを通して引き出されると、塗布面から余分な製品を除去する。ワイパーは、ワイパーの外壁（３ｂ）とネック（１ｂ）の内壁間の摩擦によってネック内に保持されている。更なる保持のために、ワイパーは、ネックの溝（１ｃ）に設けられているビーズ（３ｃ）を有していてもよい。
【００１４】
以上、本発明のいくつかの実施形態に適しているかもしれない従来のワイパーの特徴を説明してきたが、容器（１）の気密シールを保証しなければならない場合は、以下に説明するように専用ワイパーを用いることが好ましい。本発明に係る専用ワイパーにおいて、上部開口部（３ｅ）は斜面（３ｇ）に囲まれている。更には、この斜面がフランジ（３ｆ）と出会う箇所では、シールリップ（３ａ）が斜面から上方及び外側に向けて延在している。本発明のいくつかの好ましい実施形態では、シールリップは、ワイパーの上部開口部（３ｅ）を取り囲む平らな蓋として形成されている。斜面（３ｇ）とシールリップ（３ａ）は、効果的な気密シールを形成するために専用閉栓部（５）と相互に作用する。好ましくは、斜面（３ｇ）とシールリップ（３ａ）は、ショアー硬さが約５０未満のポリウレタン又はポリエステル等の比較的可撓性の熱可塑性エラストマーから成形される。この可撓性により、斜面とシールリップのシールゾーンにおける気密性が高められる。また、下部開口部（３ｄ）も、比較的可撓性の熱可塑性エラストマーから成形されることが好ましい。これは、成形ブラシは通常、ワイピングの間に成形剛毛が破損してしまうことを防ぐために、可撓性材料から成形されたワイパー孔を必要とするためである。
【００１５】
図３の専用ワイパー（３）は、１回の射出成形により１部品として形成されたものであってもよい。しかし、図４は、本発明に係る専用ワイパーの他の実施形態を示す。これまで、ワイパーは、ワイパーの外壁（３ｂ）とネック（１ｂ）の内壁の間の摩擦によって容器（１）のネック（１ｂ）内に保持されているが、更なる保持のために、ワイパーはネックの溝（１ｃ）に設けられているビーズを有していてもよいことを説明してきた。しかし、ワイパーとネックの間の高保持力を確実に得るためには、ワイパーの外壁が、ショアー硬さが少なくとも約７０である硬質プラスチック樹脂から成形されていることが好ましい。したがって、本発明に係る好ましい専用ワイパーは、上記の通り比較的可撓性のシールゾーン及びワイピングゾーン、及び比較的硬質の保持ゾーンを有している。図４は、２回に亘る射出成形により形成された好ましいワイパー（９）を示す。外側部分（９ｈ）は、低密度ポリエチレン又はポリプロピレン等の硬質プラスチック樹脂から形成されており、内側部分（９ｉ）は、ショアー硬さが約５０未満のポリウレタン又はポリエステル等の可撓性熱可塑性エラストマーから形成されている。ワイパー（９）の内側部分は、シールリップ（９ａ）、斜面（９ｇ）、上部開口部（９ｅ）、及び下部開口部（９ｄ）を有している。外側部分（９ｈ）は、硬質の外壁（９ｂ）、保持用ビーズ（９ｃ）、及びフランジ（９ｆ）を有している。このように、本発明に係る専用ワイパーは、本明細書に記載の磁気閉栓システムに必要とされる、比較的硬質の保持ゾーンと、より可撓性の高いシールゾーンの両方のニーズを満たすことができる。図８Ａ、図８Ｂ、及び図８Ｃでは、図４のワイパーをより詳細に示し、図９〜１１では、フランジ（１０ｆ、１１ｆ、１２ｆ）に関する斜面（１０ｇ、１１ｇ、１２ｇ）及びシールリップ（１０ａ、１１ａ、１２ａ）の好ましい変形例を示す。専用ワイパーの専用閉栓部（５）との相互作用を以下に説明する。
【００１６】
図５〜７を参照すると、閉栓部（５）は、柄（５ｂ）に取り付けられている外側シェル（８）を有している。外側シェル内には、１つ又は複数の強磁性素子（６）が固定されている。円錐部（５ｇ）が柄から垂下しており、棒（５ｄ）が円錐部から垂下している。棒の遠位端には、塗布面（４）が支持されている。外側シェル、柄、強磁性素子、円錐部、棒、及び塗布面はすべて互いに強固に固定されている。
【００１７】
柄（５ｂ）は通常、ユーザが手で快適に握るのに十分な大きさを有している。棒状塗布具の柄は、通常、直径が約１０〜約３０ｍｍの円筒形状である。柄の直径は、通常は容器の直径に合わせて選ばれるが、これは必須ではない。柄の長さは、通常約２０ｍｍ〜約５０ｍｍの範囲であってもよいが、それよりも長い柄も知られている。外側シェル（８）は、柄（５ｂ）に仕上がり外観を与えるため、及び柄の周りの１つ又は複数の強磁性素子を固定するために設けられている。外側シェルは、柄の周りにぴったり嵌まっているため、通常の使用時に、柄が外側シェルから後退して抜け出ることはできない。柄には、外側シェルを柄に固定するのに役立つ隆起部（図１に示す５ｃ）が設けられていてもよい。この目的のために、通常は接着材も用いられる。
【００１８】
図５を参照すると、外側シェル（８）の形状は柄の形状（すなわち、円筒形）と一致しており、円筒壁（８ａ）及び上端（８ｂ）を有している。１つ又は複数の強磁性素子（６）及び任意のプラスチックリング（７）は、永久的に外側シェル内に固定されるため、これらは、柄（５ｂ）、円錐部（５ｇ）、及び棒（５ｄ）のための空間を残して固定されなければならない。そのため、円筒壁（８ａ）の内表面には凹部（８ｃ）が設けられている。１つ又は複数の強磁性素子（６）及び任意のプラスチックリング（７）は、この凹部に収容されている。適宜の強磁性材料の例としては、鉄、ニッケル、コバルト、及び鋼等の強磁性金属を含有する合金が挙げられる。好ましい実施形態では、強磁性素子（６）は、凹部（８ｃ）の高さにおいて外側シェル（８）内に接着されている鋼製リングとして形成されている（図１を参照）。鋼製リングの穴は、柄、円錐部、及び棒が通るのに十分な大きさである。凹部（８ｃ）及び鋼製リング（６）の高さは、閉栓部（５）が完全に容器（１）上に位置したときに、外側シェルが容器のショルダー（１ｄ）に達する前に鋼製リングが磁気リング（２）に接触するように選ばれる。したがって、外側シェルの高さも適切に選ばなければならない。図６に、鋼製リング（６）と磁気リング（２）の接触を示す。
【００１９】
円錐部（５ｇ）は、柄（５ｂ）から垂下している。円錐部の角度は、ワイパー（３、９〜１２）の斜面（３ｇ、９ｇ〜１２ｇ）よりも急角度である。しかし、閉栓部（５）が完全に容器（１）上に位置したとき、閉栓部（５）の円錐部（５ｇ）はワイパーの斜面に接触するため、斜面は円錐部の角度にほぼ一致するように撓み、斜面の周りの３６０°においてシール係合が得られる。円錐部（５ｇ）と斜面（３ｇ）の間の良好な接触を確実に得るためには、円錐部の直径は、円錐部が斜面と接触する高さにおいて、斜面の直径よりも僅かに大きくなければならない。通常、円錐部と斜面は互いに約０．１ｍｍ〜０．２５ｍｍ、好ましくは約０．１５ｍｍの干渉部分を有している。この干渉部分は、漏れに対するシールを提供する。ねじ込み式閉栓機構付きのパッケージにおいて、このような干渉部分は通常、漏れを防ぐのに十分である。しかし、本発明のパッケージはねじ込み式閉栓機構を用いていないため、第２のシールゾーンが、ワイパー（３、９〜１２）の上部開口部（３ｅ、９ｅ〜１２ｅ）を取り囲むシールリップ（３ａ、９ａ〜１２ａ）の形で設けられている。図６には、閉栓部（５）が完全にワイパー（９）上に位置している状態において、柄（５ｂ）の下部（５ａ）がワイパー（９）のシールリップ（９ａ）を下方に押圧していることが示されている。本発明者らによれば、柄によるシールリップ（３ａ、９ａ〜１２ａ）の圧縮は、リング磁石（２）の鋼製リング（６）に対する磁力によって引き起こされる円錐部による斜面（３ｇ、９ｇ〜１２ｇ）の圧縮と相俟って効果的なシールを形成するのに十分であることが判った。ここで言う「効果的なシール」とは、商業目的のための十分な気密性及び水密性を有することを意味する。
【００２０】
棒（５ｄ）は円錐部から垂下しており、その遠位端において塗布面（４）を支持している。図１及び図７では、繊維ブラシ（例えば、マスカラの塗布に適しているブラシ）としての塗布面を示しているが、ワイパーシステム付きの棒状塗布具上で用いられることが知られているいかなる塗布ヘッドも、適している。通常の棒（５ｄ）は、図示のように円筒形状である。棒の直径は、ワイパー（３）の下部開口部（３ｄ、９ｄ）の直径よりも僅かに大きいことが好ましい。これは、ワイパーによって棒から余分な製品が拭い落とされ、棒が容器（１）内に収容されたときに更なるシールを形成することを確実にする。好ましくは、棒（５ｄ）、円錐部（５ｇ）、及び柄（５ｂ）は１部品として成形されるが、これらの部品は別々に形成してから組み立ててもよい。
【００２１】
なお、リング磁石（２）の鋼製リング（６）に対する磁力によって引き起こされる柄（５ｂ）によるシールリップ（３ａ、９ａ〜１２ａ）の圧縮は、第２の効果的なシールを形成するのに十分である。ここで言う「効果的なシール」とは、商業目的のための十分な気密性及び水密性を有することを意味する。実際に、使用される磁石材料によっては、磁気引力をいくらか減衰させるためのプラスチックリング（７）を設ける必要がある場合もある。柄が磁石によって容器にあまりにも強く保持されている場合、ユーザは、塗布面（４）を容器から取り出すことは難しいと気付くかもしれない。使用できる磁石があまりにも強い場合は、リング磁石（２）と鋼製リング（６）の間にプラスチックリング（７）を置くことによりこの状況を緩和してもよい。プラスチックリングは、外側シェル（８）内に接着されるか、鋼製リングに直接接着されてもよい。図５及び図７に、プラスチックリングを示す。プラスチックリングの厚みの例としては、０．１ｍｍ〜２ｍｍ、好ましくは０．１ｍｍ〜１ｍｍ、より好ましくは０．１ｍｍ〜０．３ｍｍが挙げられる。本発明者らは、本発明のワーキングモデルを通して、最大エネルギー積（ＢＨｍａｘ）が約４３〜約４６ＭＧＯｅの磁石と共に厚み約０．３ｍｍのプラスチックリングを用いると、ユーザに快適感を与え、効果的なシールを形成することができることを発見した。
【００２２】
非ねじ込み式閉栓システムにおける効果的なシールに加えて、リング磁石（２）と鋼製リング（６）の間の引力は、これら２つの要素が互いに直接接触したときに、聞き取れるクリック音を生成するのに十分な大きさである。棒状塗布具が容器内に挿入されると、塗布具が突然「不思議な（ｍａｇｉｃａｌ）」力により引っ張られ、カチッと音がなって収まる。この音は満足感と安心感を与え、ユーザに贅沢な経験をもたらす。したがって、リング磁石（２）と鋼製リング（６）は、聞き取れるクリック音を生成するのに十分な力で、確実に互いに接触できることが好ましい。なお、これら２つの間にプラスチックリング（７）を設けた場合であっても、容器の閉栓部を認識させる音を聞き取ることができる。
【図１】
2018529435.tif 000003
【図２】
2018529435.tif 000004
【図３】
2018529435.tif 000005
【図４】
2018529435.tif 000006
【図５】
2018529435.tif 000007
【図６】
2018529435.tif 000008
【図７】
2018529435.tif 000009
【図８Ａ】
2018529435.tif 000010
【図８Ｂ】
2018529435.tif 000011
【図８Ｃ】
2018529435.tif 000012
【図９】
2018529435.tif 000013
【図１０】
2018529435.tif 000014
【図１１】
2018529435.tif 000015
【国際調査報告】
2018529435.tif 000016
2018529435.tif 000017